(57)【特許請求の範囲】
【請求項１】
ヘッドホン筺体内に巻取り可能な入力コードと、
前記ヘッドホン筺体内に設け前記入力コードを前記筺体内に巻取るように付勢した巻取り手段と、
前記巻取り手段に設けられた切込みに当接係合して前記巻取り手段の前記入力コードの巻取りを阻止するとともに前記入力コードの前記筺体からの引出しを許容するつめを設けたストッパーを有するラチェット手段と、
前記ラチェット手段の前記巻取り手段による入力コード巻取りの阻止を解除すべく前記ストッパーの他端に設けた操作部よりなる解除手段と、
前記巻取り手段を有するヘッドホン筐体に対して回動軸により回動自在に連結されたヘッドバンドのアーム部と、
前記ヘッドホン筐体内において当該ヘッドホン筐体の拡開に対応して回動する前記アーム部の前記回動軸を中心とする回動に連動して回動するように設けられて、聴取のためヘッドホン筐体を拡開して装着可能な状態で前記解除手段の操作を阻止する阻止手段とを備え、
ヘッドホン筐体を頭部に装着した状態では入力コードの巻き取りができないように構成したことを特徴とするコード巻取り装置付きヘッドホン。
【請求項２】
前記入力コードの前記ヘッドホン筺体からの引き出しのとき前記ラチェット手段の部材間の間欠的な当接によって発生する音を低減させる緩衝手段を備えた請求項１記載のコード巻取り装置付きヘッドホン。
【請求項３】
前記入力コードを前記ヘッドホン筺体から引き出すとき、当該入力コードの引っ張り力が前記ストッパー回動させることにより、前記つめと切込みとの係合がはずれて前記ラチェット手段を不動作とするラチェット解除手段を備えた請求項１又は２に記載のコード巻取り装置付きヘッドホン。
【請求項４】
前記解除手段を構成する操作部が、聴取のため装着可能な状態におけるヘッドバンドのアーム部により覆われる位置に配置され、当該状態においては操作不可能となるように構成したことを特徴とする請求項１から３いずれかに記載のコード巻取り装置付きヘッドホン。
【発明の詳細な説明】
【０００１】
【発明の属する技術分野】
本発明は入力コードを巻取る入力コード巻取り装置の付いたヘッドホンに関する。
【０００２】
【従来の技術】
近年スピーカを用いずヘッドホンで聴取するポータブルオーディオ機器の増加に伴い、ヘッドホンとしてインナーイヤ形またはインサイドホンと呼ばれる耳介内に挿入して用いられるものや、大形の載頭形または耳覆い形とよばれる耳介上から頭部に当接させるものが用いられている。いずれもオーディオ機器から音声信号を入力するための入力コードが必要であり、ヘッドホンの使用にあたり入力コードの収納が課題となっていた。そのため入力コードを収容するケースを用いたり、ヘッドホン側やオーディオ機器側にコード巻取り装置を設けたものが用いられている。
【０００３】
図８に従来の載頭形のコード巻取り装置付きヘッドホンの断面図、図９にその要部の斜視図、図１０にその使用時の外観説明図を示す。図８においてヘッドホン筺体１０の前部筺体１０ｃには人間の耳の外耳道に対向して前部開孔１０ｄが設けられ、この前部開孔１０ｄに向けてスピーカユニット２１が取り付けられている。また前部筺体１０ｄの前方周辺にはスポンジの表面を軟質の合成樹脂レザー等でカバーしたイヤーパッド２２が取り付けられており、側頭部に柔らかく当接するとともに耳介周辺を覆って音洩れと周辺の騒音の侵入とを防止する。前部筺体１０ｃから一体に後方すなわち耳から遠ざかる方向に延びた支柱１０ｅの先に巻取り装置基板２３を取付け、この巻取り装置基板２３には支軸２を植立し、この支軸２にリール１を回転自在に嵌着する。リール１にはらせん状に入力コード９を巻取るコード巻取り部１ａと、このコード巻取り部１ａと仕切られたコードたるみ部１ｂと、リール１の中心部にコードたるみ部の反対側に仕切られたコイルスプリング収納部１ｃとが設けられている。入力コード９は一端をスピーカユニット２１の端子部２１ａにはんだ付け等で電気的に接続され、巻取り装置基板２３に設けた孔２３ａからコードたるみ部１ｂに入ってここでゆるく数回らせん状に巻回され、さらにリール１内部を貫通して、この部分でリール１に固定されたうえ、コード巻取り部１ａに入ってこれに巻回されている。筺体１０は巻取り装置の後部からこれらを覆い、下方に入力コード９を引き出すコード引出し孔１０ａが設けられていて、ここから引き出された入力コード９の先端にはオーディオ機器に接続するプラグ９ａが取り付けられている。
【０００４】
このようにしてコード巻取り装置の付いた片耳分のヘッドホン５０が構成されコード巻取り装置の付いていない他方の耳用のヘッドホン５１とは図１０のようにヘッドバンド５２と、図示しないが他方の耳用のヘッドホン５１に電気的に接続する入力コードとによって連結され、載頭形のヘッドホンが構成される。
【０００５】
図９においてリール１は、その中心において支軸２に回動自在に嵌着されている。そして一端が支軸２に固着され、他端がリール１のコイルスプリング収納部１ｃ内面に固着されたコイルスプリング３によって時計方向の矢印Ｒ１方向に付勢されている。リール１の両側のフランジ４，５の一方の５にはロック用の切込み５ａが全周を整数等分して設けられ、軸６に回動自在に軸支されたストッパー７のつめ７ａがフランジ５の切込み５ａに押圧嵌入するように一端をストッパー７に、他端を基板または筺体にかけた付勢ばね８で時計方向の矢印Ｒ２方向に付勢されていていわゆるラチェット機構をなしている。ストッパー７のつめ７ａの他端には解除ボタン７ｂが設けられている。
【０００６】
以上のように構成され、つぎにその動作を説明する。入力コード９を図示しないオーディオ機器に接続するために伸長する場合は入力コード９を持って矢印Ａ方向に引っ張る。するとリール１はコイルスプリング３の復元力に抗しながら、かつフランジ５外周に付勢ばね８によって押圧されているストッパー７のつめ７ａがロック用の切込み５ａの緩斜面側５ｂを飛び越しながら矢印Ｒ１と逆方向すなわち反時計方向に回動して、任意の箇所でコード９の引っ張りを止めるとコイルスプリング３の復元力によってリール１は矢印Ｒ１方向に回動し、付勢ばね８によってストッパー７が矢印Ｒ２方向に回動することによりつめ７ａがロック用の切込み５ａの急斜面側５ｃに食い込んで停止する。
【０００７】
入力コード９を収納しようとするときはストッパー７の解除ボタン７ｂを押圧すると、つめ７ａがフランジ５の切込み５ａの急斜面側５ｃから開放され、リール１はコイルスプリング３の復元力によって矢印Ｒ１方向に回動され、入力コード９を巻取る。
【０００８】
【発明が解決しようとする課題】
上記の過程において入力コード９を伸長する場合に、リール１のフランジ５外周にストッパー７のつめ７ａが付勢ばね８によって押圧されているため、ロック用の切込み５ａを飛び越すときに急斜面側５ｃに落ち込んでストッパー７とフランジ５が当接してクリック音を発生する。ところがヘッドホン筺体１０の内部にコード巻取り装置が設けられているためにこのクリック音が耳に直接入ってきて、相当な音量となり不快な騒音となってしまう。
【０００９】
また入力コード９を収納するとき、解除ボタン７ｂを押圧すると、リール１はコイルスプリング３の復元力によって矢印Ｒ１方向に勢いよく回動され、急速に入力コード９を巻取るために、勢いあまってプラグ９ａが使用者の顔面に当たり、目に入ったりけがをするおそれもあった。
【００１０】
本発明はこれら従来の課題を解決し、ヘッドホン装着中に入力コードを伸長しても機械的騒音が気にならないコード巻取り装置付きヘッドホンを提供しようとするものであり、さらには装着中には入力コードの収納を不可能にすることによって入力コード収納時の危険を防止するコード巻取り装置付きヘッドホンを提供しようとするものである。
【００１１】
【課題を解決するための手段】
上記目的を達成するために本発明のコード巻取り装置付きヘッドホンは、請求項１において、ヘッドホン筺体内に巻取り可能な入力コードと、前記ヘッドホン筺体内に設け前記入力コードを前記筺体内に巻取るように付勢した巻取り手段と、前記巻取り手段に設けられた切込みに当接係合して前記巻取り手段の前記入力コードの巻取りを阻止するとともに前記入力コードの前記筺体からの引出しを許容するつめを設けたストッパーを有するラチェット手段と、前記ラチェット手段の前記巻取り手段による入力コード巻取りの阻止を解除すべく前記ストッパーの他端に設けた操作部よりなる解除手段と、前記巻取り手段を有するヘッドホン筐体に対して回動軸により回動自在に連結されたヘッドバンドのアーム部と、
前記ヘッドホン筐体内において当該ヘッドホン筐体の拡開に対応して回動する前記アーム部の前記回動軸を中心とする回動に連動して回動するように設けられて、聴取のためヘッドホン筐体を拡開して装着可能な状態で前記解除手段の操作を阻止する阻止手段とを備え、ヘッドホン筐体を頭部に装着した状態では入力コードの巻き取りができないように構成したものである。
【００１２】
この構成によって、ヘッドホンが頭部に装着可能な形状になっているときは阻止手段によって入力コードを筺体内に巻取ることができないようにし、装着中の巻取りによって勢い余った入力コードまたはプラグが人体に危害を与えないように作用する。
【００１３】
また請求項２において、前記入力コードの前記ヘッドホン筺体からの引き出しのとき前記ラチェット手段の部材間の間欠的な当接によって発生する音を低減させる緩衝手段を備えた構成である。
【００１４】
この構成によって、入力コードを引き出すときにラチェット手段の部材相互が間欠的に当接したときに発生するクリック音を緩衝手段で確実に低減できるという作用が得られる。
【００１５】
また請求項３おいては、請求項１又は２の構成に、前記入力コードを前記ヘッドホン筺体から引き出すとき、当該入力コードの引っ張り力が前記ストッパーを回動させることにより、前記つめと切込みとの係合がはずれて前記ラチェット手段を不動作とするラチェット解除手段を備えた構成である。
【００１６】
この構成によって、入力コードを引き出すときにラチェット解除手段によりラチェット手段を不動作にし、ラチェット手段の部材相互が間欠的に当接することによるクリック音を発生しないように作用することとなる。
【００１７】
また、請求項４においては、前記請求項１から３において、解除手段を構成する操作部が、聴取のため装着可能な状態におけるヘッドバンドのアーム部により覆われる位置に配置され、当該状態においては操作不可能となるように構成したものである。
【００１８】
この構成によって、聴取のために装着した状態では、ヘッドバンドのアーム部によって、解除手段の操作部そのものが操作できないものであり、まちがって操作しようとするようなこともなくなるものである。
【００１９】
【発明の実施の形態】
以下図面に基づいて本発明のコード巻取り装置付きヘッドホンの一実施形態を説明する。
（実施の形態１）
図１は本発明の実施の形態１のコード巻取り装置付きヘッドホンの要部を破断して示す斜視図、図２及び図３は同じくその動作説明のための要部断面図である。
【００２０】
図１〜図３においてリール１は、その中心において支軸２に回動自在に嵌着されている。そして一端が支軸２に固着され、他端がリール１のコイルスプリング収納部１ｃ内面に固着されたコイルスプリング３によっての矢印Ｒ１方向に付勢されていて巻取り手段を構成している。リール１の両側のフランジ４，５の一方の５にはロック用の切込み５ａが全周を整数等分して複数個設けられ、軸６に回動自在に軸支されたストッパー７のつめ７ａがフランジ５の切込み５ａに押圧嵌入するように一端をストッパー７に、他端を基板または筺体にかけた付勢ばね８で当該ストッパー７が矢印Ｒ２方向に付勢されている。切込み５ａとつめ７ａの関係は、入力コード９を引き出す方向Ｒ３にはつめ７ａは緩斜面側５ｂと係合して容易につめ７ａが切込み５ａからはずれ、入力コード９を巻取る方向には、つめ７ａは急斜面側５ｃと係合してロックされるラチェット手段を構成している。ストッパー７のつめ７ａの他端には、解除の操作部となる解除ボタン７ｂが設けられている。
【００２１】
入力コード９は従来の図８のように一端はスピーカユニット２１の入力端子２１ａに接続されリール１にいったん固定された後リール１のコード巻取り部１ａに巻回されて引き出され他端にはオーディオ機器に接続するプラグ９ａが取り付けられており、これらの部分は筺体１０内部に収納され、入力コード９は筺体１０のコード引出し口１０ａより引き出され、図２のようにストッパー７の解除ボタン７ｂは開孔１０ｂより露出されている。その他は、図８に示された構成はすべて本実施形態においても同様にあてはまる。
【００２２】
従来のコード巻取り装置付きヘッドホンにおける図９と異なる点はストッパー７のつめ７ａの根元に軟質のゴム、合成樹脂等の素材を用いた緩衝材７ｃを固着し、付勢ばね８によってストッパー７のつめ７ａがフランジ５方向に押圧され切込み５ａに落ち込んでもストッパー７とフランジ５とが当接する前に緩衝材７ｃが当接するようにした緩衝手段を有する点である。
【００２３】
以上のように構成されたヘッドホンについて、つぎにその動作を説明する。入力コード９を図示しないオーディオ機器に接続するために伸長する場合は入力コード９を持って矢印Ａ方向に引っ張る。するとリール１はコイルスプリング３の復元力に抗しながら、かつフランジ５外周に付勢ばね８によって押圧されているストッパー７のつめ７ａが図２（ａ）のようにロック用の切込み５ａを飛び越しながら矢印Ｒ３方向に回動して、任意の箇所でコード９の引っ張りを止めるとコイルスプリング３の復元力によってリール１は矢印Ｒ１方向に回動し、付勢ばね８によってストッパー７が矢印Ｒ２方向に回動することによりつめ７ａがロック用の切込み５ａの急斜面側５ｃに食い込んで停止する。
【００２４】
このとき、ストッパー７のつめ７ａがロック用の切込み５ａを飛び越すときに、つめ７ａが付勢ばね８の付勢力によって急斜面側５ｃに落ち込むときにつめ７ａまたはストッパー７のいずれかがフランジ５に衝撃的にぶつかるのを図２（ｂ）のように緩衝材７ｃが受け止めて緩衝する。これによって従来つめ７ａがフランジ５の切込み５ａを飛び越すときに間欠的にストッパー７とフランジ５が当接して発生していたクリック音を低減させることができる。
【００２５】
入力コード９を収納するときの動作は、ストッパー７の解除ボタン７ｂを押圧すると、つめ７ａがフランジ５の切込み５ａの急斜面側５ｃから開放され、リール１はコイルスプリング３の復元力によって矢印Ｒ１方向に回動され、入力コード９を巻取る。
【００２６】
このようにこの実施の形態においては、ストッパー７のつめ７ａの根元に軟質のゴム、合成樹脂等の素材を用いた緩衝材７ｃを固着して緩衝手段とし、入力コード９の伸長時に付勢ばね８によってストッパー７のつめ７ａがフランジ５方向に押圧され切込み５ａに落ち込んでもストッパー７とフランジ５とが当接する前に緩衝材７ｃが当接することによってクリック音の発生を低減させることができるものである。
【００２７】
なお、緩衝材７ｃの形状は図３（ａ）の緩衝材７ｄ、または図３（ｂ）の緩衝材７ｅに示すように、ストッパー７自体がフランジ５と当接しないような構成としても良い。また、ラチェット機構の切込み５ａの数は多いほど引出しをやめたときのバックラッシュが少なくなるが、引き出し時のストッパー７の振動が多くなり緩衝材の効果にも影響してくるので、その辺を勘案して決定すればよい。さらに、本実施の形態ではリール１のフランジ５をラチェット歯車に用いたが、ラチェット歯車はフランジ５の外面に設けても、またリール１とは別部材であってもよく、リール１と連動するものであればよい。
【００２８】
（実施の形態２）
図４は本発明の実施の形態２のコード巻取り装置付きヘッドホンの要部断面図である。図２の実施の形態１のものに対してリール１１や支軸１２等の構成は類似であり、リール１１の巻取り方向が変わっているだけであるから重複の図示と説明を省略する。図４（ａ）において筺体２０内でリール１１は図示を省略したコイルスプリングによって常時図の矢印Ｒ４方向に付勢されているものとする。リール１１には図２のものと同様に両側にフランジがあり、断面図のためその一方の１５のみ示されている。フランジ１５にはロック用の切込み１５ａが全周を整数等分して複数個設けられ、軸１６に回動自在に軸支されたストッパー１７のつめ１７ａがフランジ１５の切込み１５ａに押圧嵌入するように一端をストッパー１７に、他端を筺体２０にかけた付勢ばね１８で矢印Ｒ５方向に付勢されている。ストッパー１７のつめ１７ａの軸１６に関する反対側他端には解除ボタン１７ｂが設けられ、筺体２０に設けた孔２０ｂから露出している。
【００２９】
ストッパー１７のつめ１７ａからさらに先端側においてストッパー１７に植立された支軸１７ｃにローラー１７ｄを回転自在に嵌合させ、入力コード９はこのローラー１７ｄに接触しながら筺体２０のコード引出し孔２０ａから引き出されている。このようにローラー１７ｄが入力コード９と係合することにより、つめ１７ａとフランジ１５の切込み１５ａの緩斜面側１５ｂと急斜面側１５ｃとの関わりであるラチェット手段の動作を解除するラチェット解除手段を構成している。支軸１７ｃが摩擦の少ない材質や形状であればローラー１７ｄを省略することもできる。
【００３０】
以上のような構成において、つぎにその動作を説明する。入力コード９を図示しないオーディオ機器に接続するために伸長する場合は入力コード９を持って矢印Ｂ方向に引っ張る。するとリール１１は図示しないコイルスプリングの復元力によって入力コード９を引き出させない方向に付勢されているので、付勢力とコードへの引っ張り力との合成ベクトルによってローラー１７ｄには、したがってストッパー１７には矢印Ｒ６方向の回動力が生じ、１点鎖線で示したようにつめ１７ａはフランジ１５のロック用の切込み１５ａからはずれ、この力の釣合い状態を保ったまま、すなわちつめ１７ａがはずれたまま図４（ｂ）のように入力コード９は矢印Ｒ８方向に回動するリール１１から繰り出される。そして任意の箇所でコード９の引っ張りを止めると、ローラー１７ｄへの押圧はなくなり付勢ばね１８によってストッパー１７が矢印Ｒ７方向に回動し、この状態においてコイルスプリングの復元力によってリール１１は矢印Ｒ４方向に回動し、つめ１７ａがロック用の切込み１５ａの急斜面側１５ｃに食い込んで停止する。
【００３１】
このように入力コード９を引き出すときはローラー１７ｄと当接することにより、つめ１７ａは切込み１５ａからはずれるため、ストッパー１７のつめ１７ａとフランジ１５の切込み１５ａは互いに嵌合することがなく、入力コード９の引き出し中にクリック音は発生しない。
【００３２】
入力コード９を収納するときはストッパー１７の解除ボタン１７ｂを押圧すると、つめ１７ａがフランジ１５の切込み１５ａの急斜面側１５ｃから開放され、リール１１はコイルスプリングの復元力によって矢印Ｒ４方向に回動され、入力コード９を巻取る。
【００３３】
このようにこの実施の形態においては、ストッパー１７のつめ１７ａの延長先端にストッパー１７に植立された支軸１７ｃにローラー１７ｄを回転自在に嵌合させたものを設け、ラチェット解除手段としたので、入力コード９の伸長時に付勢ばね１８によってストッパー１７のつめ１７ａがフランジ１５方向に押圧され切込み１５ａに落ち込んロックしている状態を解除させ、そのまま入力コード９を引き出す間はつめ１７ａがフランジ１５の切込み１５ａに落ちこむことがなく、従来のようにこの間でクリック音を生じることがない。
【００３４】
（実施の形態３）
図５は本発明の実施の形態３のコード巻取り装置付きヘッドホンの要部説明図、図６は同じくそのコード収納可否動作の説明図である。この実施の形態は実施の形態１の構成を基本として、異なった部分のみを説明する。図５（ａ）において係止部材２７と解除部材２８とが軸６に回動自在に軸支され、係止部材２７のつめ２７ａがフランジ５の切込み５ａに押圧嵌入するようになっている。つめ２７ａの根元には図１，２と同様に軟質のゴム、合成樹脂等の材質の緩衝材２７ｂが固着されている。係止部材２７の軸６に対してつめ２７ａの反対側に係合部２７ｃが設けられ、この係合部２７ｃに解除部材２８の一部２８ａが当接し、係合部２７ｃと解除部材２８の間には付勢ばね２９が架張されている。また図１と同様に一端を係止部材２７に、他端を基板または筺体にかけた付勢ばね８で矢印Ｒ９方向に付勢されている。そして係止部材２７と係合部２７ｃで係合した解除部材２８の端部に設けられた解除ボタン２８ｂは、図１における解除ボタン７ｂと同様の作用をする。そして阻止部材２１が軸２２を中心に矢印Ｒ１０またはＲ１１方向に回動し、図６で説明するように回動にしたがって解除部材２８の阻止部２８ｃに介入したり、しなかったりすることにより阻止手段を構成する。
【００３５】
図６において、図５のような構成を含んだコード巻取り装置の付いた片耳分のヘッドホン３０と、コード巻取り装置の付いていないヘッドホン３１とがヘッドバンド３２と、図示しないが他方の耳用のヘッドホン３１に電気的に接続する入力コードとによって連結され、載頭形のヘッドホンが構成される。ヘッドバンド３２は折り曲げ部３２ａ，３２ｂおよび３２ｃが設けられ、この部分でヘッドバンド３２のアーム部３２ｄ，３２ｅが内方に折り曲げられるようになっている。また、ヘッドバンド３２のアーム部３２ｄ，３２ｅは、ヘッドホン３０，３１に対し、回動軸３２ｆ，３２ｇで回動自在に連結されている。そして、軸３２ｆは前述した阻止部材２１の軸２２と連動させている。
【００３６】
ここで、阻止部材２１は、図６（ｂ）及び（ｄ）より明らかなように、カム状に形成され、切欠部２１ａを有する。そして、解除ボタン２８ｂの阻止部２８ｃが阻止部材２１に対応する状態（（ｂ）図）では、当該解除ボタン２８ｂの押圧力は阻止させるが、阻止部２８ｃが切欠部２１ａに対応する状態（（ｄ）図）では解除ボタン２８ｂを押圧可能状態となる。また、図６（ａ）の状態から実際に聴取のため頭部に装着する場合は、ヘッドホン３０，３１が拡開され、（ｂ）図に示すように、アーム部３２ｄは軸３２ｆを中心に矢印Ｒ１２方向に回動することになるが、当該アーム部３２ｄが仮想線で示す位置まで回動したとしても、阻止部材２１は阻止部２８ｃに充分に対応関係にある形状となっている。
【００３７】
以下動作を説明する。図６（ａ）のようにヘッドホンを使用可能状態及び更にヘッドホン３０，３１を拡開した使用状態では、阻止部材２１は図６（ｂ）のように解除ボタン２８ｂの下部すなわち阻止部２８ｃの下にあり、解除ボタン２８ｂを押圧しても阻止部材２１によって阻止され、２８ｂは動かず、つめ２７ａはフランジ５の切込み５ａの急斜面側５ｃから開放されないので、リール１は入力コード９を巻取ることはできない。
【００３８】
つぎにヘッドホンを図６（ｃ）のように折り畳んだとき、図６（ｄ）のように阻止部材２１のカム部は解除ボタン２８ｂの下部すなわち阻止部２８ｃが切欠部２１ａに対応し、解除ボタン２８ｂを押圧することができ、つめ２７ａはフランジ５の切込み５ａの急斜面側５ｃから開放されて、リール１は入力コード９を巻取る。
【００３９】
ヘッドホンの使用可能状態の（ａ）図において入力コード９を引き出そうとしたとき、阻止部材２１によって解除ボタン２８ｂの動きが阻止されているが、係止部材２７は図５（ｂ）のように付勢ばね２９に抗して矢印Ｒ１３方向に回動して解除部材２８から離れることができ、つめ２７ａはフランジ５の切込み５ａの急斜面側５ｃから解除され実施の形態１と同様に入力コード９を引き出すことができる。図５（ｃ），（ｄ）はそれぞれ係止部材２７と解除部材２８の単独の形状を示す。
【００４０】
このようにこの実施の形態においては折り畳み可能なヘッドバンドの、ヘッドホンに対する回動と連動する阻止部材を設け、この阻止部材によってヘッドホンの使用可能状態及び使用状態では入力コードの収納を阻止することによって頭に装着した状態でのコードの収納を防止したことによってコード収納時に勢い余ってコードやプラグ等が顔面に当たる危険を防止できるものである。
【００４１】
なお、実施の形態３の構成を実施の形態２の構成に組み合わせることも可能であり、また従来のコード巻取り装置付きヘッドホンに組み合わせても有効なものである。
【００４２】
（実施の形態４）
図７は実施の形態４のコード巻取り装置付きヘッドホンにおいて、ヘッドバンドを折り畳んだ状態の背面図である。同図で、４０，４１はヘッドホンであり、ヘッドバンド４２は、実施形態３と同様に折り畳み可能に構成され、アーム部４２ａ、４２ｂはそれぞれの軸部４３によってヘッドホン４０、４１に回動自在に連結してある。一方のヘッドホン４０に、前述した実施の形態と同様のコード巻取装置が収納され、コード９が引き出しできるようになっており、巻取り手段による入力コード巻取りの阻止を解除する解除手段としての解除ボタン４４を設けている。
【００４３】
ここで、解除ボタン４４は、ヘッドバンド４２のアーム部４２ａが、聴取のためにヘッドホンを頭部に装着した状態で対応する位置に対応して配置されている。すなわち、図７に示す折り畳み状態から、使用の際は拡開し、アーム部４２ａは矢印Ｒ１４方向に回動し、頭部へ装着状態では、仮想線で示す状態となり、解除ボタン４４を当該アーム部４２ａで覆うことになって、解除ボタン４４は操作不可能な状態となる。
【００４４】
このように、実施の形態４によれば、聴取のために装着した状態では、ヘッドバンドのアーム部によって、解除手段の操作部そのものが操作できないものであり、まちがって操作しようとするようなこともなくなるものである。
【００４５】
【発明の効果】
以上説明したように本発明のコード巻取り装置付きヘッドホンは、請求項１の構成によって、ヘッドホンが頭部に装着可能な形状になっているときは阻止手段によって入力コードを筺体内に巻取ることができないようにし、装着中の巻取りによって勢い余った入力コードまたはプラグが人体に危害を与えないという有利な効果が得られる。
【００４６】
また請求項２の構成によって、入力コードを引き出すときにラチェット手段の部材相互が間欠的に当接したときに発生するクリック音を緩衝手段で確実に低減できるという有利な効果が得られる。
【００４７】
さらに請求項４の構成によって、聴取のために装着した状態では、ヘッドバンドのアーム部によって、解除手段の操作部そのものが操作できないものであり、まちがって操作しようとするようなこともなくなるという有利な効果が得られる。
【図面の簡単な説明】
【図１】本発明の実施の形態１のコード巻取り装置付きヘッドホンの要部を破断して示す斜視図
【図２】同その動作説明のための要部断面図
【図３】同一部の変形例を示す要部断面図
【図４】同実施の形態２のコード巻取り装置付きヘッドホンの要部断面図
【図５】同実施の形態３のコード巻取り装置付きヘッドホンの要部説明図
【図６】同そのコード収納可否動作の説明図
【図７】同実施の形態４のコード巻取り装置付きヘッドホンの折り畳み状態の背面図
【図８】従来の載頭形のコード巻取り装置付きヘッドホンの断面図
【図９】同その要部の斜視図
【図１０】同使用時の外観説明図
【符号の説明】
１，１１              リール
２，１２              支軸
３                    コイルスプリング
５，１５              フランジ
５ａ，１５ａ          切込み
５ｂ，１５ｂ          緩斜面側
５ｃ，１５ｃ          急斜面側
６，１６              軸
７，１７              ストッパー
７ａ，１７ａ，２７ａ  つめ
７ｂ，１７ｂ，２８    解除ボタン
７ｃ                  緩衝手段
９                    入力コード
１０，２０            筺体
２１                  阻止部材
２７                  係止部材
２８                  解除部材
【図１】
0003777855.tif 000002
【図２】
0003777855.tif 000003
【図３】
0003777855.tif 000004
【図４】
0003777855.tif 000005
【図５】
0003777855.tif 000006
【図６】
0003777855.tif 000007
【図７】
0003777855.tif 000008
【図８】
0003777855.tif 000009
【図９】
0003777855.tif 000010
【図１０】
0003777855.tif 000011